(57)【要約】【課題】変倍比が８倍−１２倍程度で、短焦点距離端で７０゜以上の画角を有し、前玉径は小さく短焦点距離端のレンズ全長が短い沈胴式カメラに最適な高変倍ズームレンズ系を提供すること。【解決手段】物体側から順に、正の屈折力を持つ第１レンズ群、負の屈折力を持つ第２レンズ群、正の屈折力を持つ第３レンズ群、及び正の屈折力を持つ第４レンズ群から構成され、短焦点距離端から長焦点距離端への変倍に際し、少なくとも第１レンズ群ないし第３レンズ群が移動し、第１レンズ群の移動量が第３レンズ群の移動量よりも大きく、次の条件式（１）、（２）及び（３）を満足することを特徴とする高変倍ズームレンズ系。（１）０．９＜ＦＴ／Ｆ１＜２（２）３＜Ｆ１／ＦＷ＜７（３）−８＜Ｆ１／Ｆ２＜−５但し、ＦＴ：長焦点距離端における全系の焦点距離、Ｆ１：第１レンズ群の焦点距離、ＦＷ：短焦点距離端における全系の焦点距離、Ｆ２：第２レンズ群の焦点距離。【選択図】図１
2011186047.tif 000002
【特許請求の範囲】
【請求項１】
物体側から順に、正の屈折力を持つ第１レンズ群、負の屈折力を持つ第２レンズ群、正の屈折力を持つ第３レンズ群、及び正の屈折力を持つ第４レンズ群から構成され、短焦点距離端から長焦点距離端への変倍に際し、少なくとも第１レンズ群ないし第３レンズ群が移動し、第１レンズ群の移動量が第３レンズ群の移動量よりも大きく、次の条件式（１）、（２）及び（３）を満足することを特徴とする高変倍ズームレンズ系。
（１）０．９＜ＦＴ／Ｆ１＜２
（２）３＜Ｆ１／ＦＷ＜７
（３）−８＜Ｆ１／Ｆ２＜−５
但し、
ＦＴ：長焦点距離端における全系の焦点距離、
Ｆ１：第１レンズ群の焦点距離、
ＦＷ：短焦点距離端における全系の焦点距離、
Ｆ２：第２レンズ群の焦点距離。
【請求項２】
請求項１記載の高変倍ズームレンズ系において、次の条件式（４）を満足する高変倍ズームレンズ系。
（４）２．５＜Ｍ２Ｔ／Ｍ２Ｗ＜６
但し、
Ｍ２Ｔ：第２レンズ群の長焦点距離端における無限遠物体に対する結像倍率、
Ｍ２Ｗ：第２レンズ群の短焦点距離端における無限遠物体に対する結像倍率。
【請求項３】
請求項１または２記載の高変倍ズームレンズ系において、第１レンズ群中の最も物体側のレンズは負レンズであり、次の条件式（５）を満足する高変倍ズームレンズ系。
（５）１．９＜ｎ１
但し、
ｎ１：第１レンズ群中の最も物体側の負レンズのｄ線に対する屈折率。
【請求項４】
請求項１ないし３のいずれか１項記載の高変倍ズームレンズ系において、次の条件式（６）を満足する高変倍ズームレンズ系。
（６）ν３Ｐａ＞６４
但し、
ν３Ｐａ：第３レンズ群に含まれる正レンズのｄ線に対するアッベ数の平均値。
【請求項５】
請求項１ないし４のいずれか１項記載の高変倍ズームレンズ系において、次の条件式（７）を満足する高変倍ズームレンズ系。
（７）０．３＜ｎ３Ｎａ−ｎ３Ｐａ
但し、
ｎ３Ｎａ：第３レンズ群に含まれる負レンズのｄ線に対する屈折率の平均値、
ｎ３Ｐａ：第３レンズ群に含まれる正レンズのｄ線に対する屈折率の平均値。
【請求項６】
請求項１ないし５のいずれか１項記載の高変倍ズームレンズ系において、第３レンズ群は、物体側から順に、正レンズ、正レンズ及び負レンズの３枚のレンズからなる高変倍ズームレンズ系。
【請求項７】
請求項６記載の高変倍ズームレンズ系において、第３レンズ群の像側の正レンズと負レンズは接合されている高変倍ズームレンズ系。
【請求項８】
請求項１ないし５のいずれか１項記載の高変倍ズームレンズ系において、第３レンズ群は、物体側から順に、正レンズ、正レンズ、負レンズ及び負レンズの４枚のレンズからなる高変倍ズームレンズ系。
【請求項９】
請求項８記載の高変倍ズームレンズ系において、第３レンズ群の像側の正レンズと物体側の負レンズは接合されている高変倍ズームレンズ系。
【請求項１０】
請求項１ないし９のいずれか１項記載の高変倍ズームレンズ系において、第１レンズ群は、物体側から順に、負レンズ及び正レンズの２枚構成であり、次の条件式（８）を満足する高変倍ズームレンズ系。
（８）ν１Ｎ＜２３
但し、
ν１Ｎ：第１レンズ群中の最も物体側の負レンズのｄ線に対するアッベ数。
【請求項１１】
請求項１ないし１０のいずれか１項記載の高変倍ズームレンズ系において、第４レンズ群は、物体側に凸面を向け、少なくともその物体側の凸面が非球面からなる１枚の非球面樹脂レンズであり、その非球面は、近軸凸球面に比して、光軸から離れるに従って曲率が緩くなる高変倍ズームレンズ系。
【発明の詳細な説明】
【技術分野】
【０００１】
本発明は、画角７０度以上の広角域を含む主にイメージセンサ用の撮像光学系として好適な高変倍ズームレンズ系に関する。
【背景技術】
【０００２】
近年、コンパクトデジタルカメラにおいて広角域を含んだ高変倍のズームレンズ系のニーズが高まっている。一方で画素ピッチの微細化が進み、光学系には高解像度であることが要求される。主にコンパクトデジタルカメラ用の撮像レンズは、収納状態で各群の空気間隔を短縮したいわゆる多段鏡筒を用いた沈胴機構を採用しカメラの薄型化を図るものが多い。このタイプの機構に適したレンズタイプとしては、各レンズ群の群厚が薄いことに加えて、前玉径が小さいこと、更に光学系の全長に関しても機構上の制約を考慮し設計を行う必要がある。
【先行技術文献】
【特許文献】
【０００３】
【特許文献１】特開２００６−２３５２９号公報
【特許文献２】特開２００６−３０８９５７号公報
【特許文献３】特開２００８−１１２０１３号公報
【発明の概要】
【発明が解決しようとする課題】
【０００４】
高変倍コンパクトデジタルカメラ用のズームレンズ系として、例えば特許文献１及び特許文献２に記載のものが知られており、比較的レンズ枚数が少なく小型化が達成されている。
しかし、特許文献１記載のズームレンズ系は、変倍比が５倍程度、短焦点距離端（広角端）の画角が６１度程度であり、ともに不十分である。また特許文献２記載のズームレンズ系は、短焦点距離端の画角は７８度程度と広角化が達成されているものの、変倍比（ズーム比）が４倍−７倍程度と満足できる値ではない。
比較的コンパクトで広角化及び高変倍化が達成されたズームレンズ系として特許文献３に記載のものがあるが、非点収差や色収差が大きく、高画素化に対応したズームレンズ系としては満足できるレベルではない。
【０００５】
本発明は、変倍比が８倍−１２倍程度で、短焦点距離端で７０゜以上の画角を有し、前玉径は小さく短焦点距離端のレンズ全長が短い沈胴式カメラに最適な高変倍ズームレンズ系を提供することを目的とする。
【課題を解決するための手段】
【０００６】
本発明の高変倍ズームレンズ系は、物体側から順に、正の屈折力を持つ第１レンズ群、負の屈折力を持つ第２レンズ群、正の屈折力を持つ第３レンズ群、及び正の屈折力を持つ第４レンズ群から構成され、短焦点距離端から長焦点距離端への変倍に際し、少なくとも第１レンズ群ないし第３レンズ群が移動し、第１レンズ群の移動量が第３レンズ群の移動量よりも大きく、次の条件式（１）、（２）及び（３）を満足することを特徴としている。
（１）０．９＜ＦＴ／Ｆ１＜２
（２）３＜Ｆ１／ＦＷ＜７
（３）−８＜Ｆ１／Ｆ２＜−５
但し、
ＦＴ：長焦点距離端における全系の焦点距離、
Ｆ１：第１レンズ群の焦点距離、
ＦＷ：短焦点距離端における全系の焦点距離、
Ｆ２：第２レンズ群の焦点距離、
である。
【０００７】
本発明の高変倍ズームレンズ系は、さらに、次の条件式（４）を満足することが好ましい。
（４）２．５＜Ｍ２Ｔ／Ｍ２Ｗ＜６
但し、
Ｍ２Ｔ：第２レンズ群の長焦点距離端における無限遠物体に対する結像倍率、
Ｍ２Ｗ：第２レンズ群の短焦点距離端における無限遠物体に対する結像倍率、
である。
【０００８】
本発明の高変倍ズームレンズ系は、第１レンズ群中の最も物体側のレンズを負レンズとし、さらに次の条件式（５）を満足することが好ましい。
（５）１．９＜ｎ１
但し、
ｎ１：第１レンズ群中の最も物体側の負レンズのｄ線に対する屈折率、
である。
【０００９】
本発明の高変倍ズームレンズ系は、さらに、次の条件式（６）を満足することが好ましい。
（６）ν３Ｐａ＞６４
但し、
ν３Ｐａ：第３レンズ群に含まれる正レンズのｄ線に対するアッベ数の平均値、
である。
【００１０】
本発明の高変倍ズームレンズ系は、さらに、次の条件式（７）を満足することが好ましい。
（７）０．３＜ｎ３Ｎａ−ｎ３Ｐａ
但し、
ｎ３Ｎａ：第３レンズ群に含まれる負レンズのｄ線に対する屈折率の平均値、
ｎ３Ｐａ：第３レンズ群に含まれる正レンズのｄ線に対する屈折率の平均値、
である。
【００１１】
第３レンズ群は、物体側から順に、正レンズ、正レンズ及び負レンズの３枚のレンズから構成することができる。この場合、像側の正レンズと負レンズは接合してもよい。
あるいは、第３レンズ群は、物体側から順に、正レンズ、正レンズ、負レンズ及び負レンズの４枚のレンズから構成することもできる。この場合、像側の正レンズと物体側の負レンズは接合してもよい。
【００１２】
本発明の高変倍ズームレンズ系は、第１レンズ群を、物体側から順に、負レンズ及び正レンズの２枚で構成し、さらに次の条件式（８）を満足することが好ましい。
（８）ν１Ｎ＜２３
但し、
ν１Ｎ：第１レンズ群中の最も物体側の負レンズのｄ線に対するアッベ数、
である。
【００１３】
本発明の高変倍ズームレンズ系は、第４レンズ群を、物体側に凸面を向け、少なくともその物体側の凸面が非球面からなる１枚の非球面樹脂レンズとし、その非球面を、近軸凸球面に比して、光軸から離れるに従って曲率が緩くなるように構成することが好ましい。
【発明の効果】
【００１４】
本発明によれば、変倍比が８倍−１２倍程度で、短焦点距離端で７０゜以上の画角を有し、前玉径は小さく短焦点距離端のレンズ全長が短い沈胴式カメラに最適な高変倍ズームレンズ系を提供することができる。
【図面の簡単な説明】
【００１５】
【図１】本発明による高変倍ズームレンズ系の数値実施例１の長焦点距離端における無限遠合焦時のレンズ構成図である。
【図２】図１の構成における諸収差図である。
【図３】同数値実施例１の中間焦点距離における無限遠合焦時のレンズ構成図である。
【図４】図３の構成における諸収差図である。
【図５】同数値実施例１の短焦点距離端における無限遠合焦時のレンズ構成図である。
【図６】図５の構成における諸収差図である。
【図７】本発明によるズームレンズ系の数値実施例２の長焦点距離端における無限遠合焦時のレンズ構成図である。
【図８】図７の構成における諸収差図である。
【図９】同数値実施例２の中間焦点距離における無限遠合焦時のレンズ構成図である。
【図１０】図９の構成における諸収差図である。
【図１１】同数値実施例２の短焦点距離端における無限遠合焦時のレンズ構成図である。
【図１２】図１１の構成における諸収差図である。
【図１３】本発明によるズームレンズ系の数値実施例３の長焦点距離端における無限遠合焦時のレンズ構成図である。
【図１４】図１３の構成における諸収差図である。
【図１５】同数値実施例３の中間焦点距離における無限遠合焦時のレンズ構成図である。
【図１６】図１５の構成における諸収差図である。
【図１７】同数値実施例３の短焦点距離端における無限遠合焦時のレンズ構成図である。
【図１８】図１７の構成における諸収差図である。
【図１９】本発明によるズームレンズ系の数値実施例４の長焦点距離端における無限遠合焦時のレンズ構成図である。
【図２０】図１９の構成における諸収差図である。
【図２１】同数値実施例４の中間焦点距離における無限遠合焦時のレンズ構成図である。
【図２２】図２１の構成における諸収差図である。
【図２３】同数値実施例４の短焦点距離端における無限遠合焦時のレンズ構成図である。
【図２４】図２３の構成における諸収差図である。
【図２５】本発明によるズームレンズ系の数値実施例５の長焦点距離端における無限遠合焦時のレンズ構成図である。
【図２６】図２５の構成における諸収差図である。
【図２７】同数値実施例５の中間焦点距離における無限遠合焦時のレンズ構成図である。
【図２８】図２７の構成における諸収差図である。
【図２９】同数値実施例５の短焦点距離端における無限遠合焦時のレンズ構成図である。
【図３０】図２９の構成における諸収差図である。
【図３１】本発明によるズームレンズ系の数値実施例６の長焦点距離端における無限遠合焦時のレンズ構成図である。
【図３２】図３１の構成における諸収差図である。
【図３３】同数値実施例６の中間焦点距離における無限遠合焦時のレンズ構成図である。
【図３４】図３３の構成における諸収差図である。
【図３５】同数値実施例６の短焦点距離端における無限遠合焦時のレンズ構成図である。
【図３６】図３５の構成における諸収差図である。
【図３７】本発明によるズームレンズ系の数値実施例７の長焦点距離端における無限遠合焦時のレンズ構成図である。
【図３８】図３７の構成における諸収差図である。
【図３９】同数値実施例７の中間焦点距離における無限遠合焦時のレンズ構成図である。
【図４０】図３９の構成における諸収差図である。
【図４１】同数値実施例７の短焦点距離端における無限遠合焦時のレンズ構成図である。
【図４２】図４１の構成における諸収差図である。
【図４３】本発明による高変倍ズームレンズ系のズーム軌跡を示す簡易移動図である。
【発明を実施するための形態】
【００１６】
本実施の形態の高変倍ズームレンズ系は、図４３の簡易移動図に示すように、物体側から順に、正の屈折力を持つ第１レンズ群Ｇ１、負の屈折力を持つ第２レンズ群Ｇ２、正の屈折力を持つ第３レンズ群Ｇ３、及び正の屈折力を持つ第４レンズ群Ｇ４から構成されている。第２レンズ群Ｇ２と第３レンズ群Ｇ３の間に位置する絞りＳは、第３レンズ群Ｇ３と一体に移動する。Ｉは像面である。
【００１７】
短焦点距離端（Ｗ）から長焦点距離端（Ｔ）への変倍（ズーミング）に際し、第１レンズ群Ｇ１と第２レンズ群Ｇ２のレンズ群間隔が増加し、第２レンズ群Ｇ２と第３レンズ群Ｇ３のレンズ群間隔が減少し、第３レンズ群Ｇ３と第４レンズ群Ｇ４のレンズ群間隔が増加するように、少なくとも第１レンズ群Ｇ１ないし第３レンズ群Ｇ３が移動する。
より具体的には、短焦点距離端から長焦点距離端への変倍に際し、第１レンズ群Ｇ１は単調に物体側に移動し、第２レンズ群Ｇ２は像側に凸の移動軌跡を描きながら全体として像側に移動し、第３レンズ群Ｇ３は単調に物体側に移動する。第４レンズ群Ｇ４は、短焦点距離端から長焦点距離端への変倍に際し、像側に凸の移動軌跡を描きながら全体として像側に移動するか（移動軌跡１、数値実施例１、２）、一旦物体側に移動してから像側に移動して全体として像側に移動するか（移動軌跡２、数値実施例３−６）、又は物体側に凸の移動軌跡を描きながら全体として物体側に移動する（移動軌跡３、数値実施例７）。尚、第４レンズ群Ｇ４は、短焦点距離端から長焦点距離端への変倍に際し、一旦物体側（像側）に移動してから像側（物体側）に移動して元の光軸方向位置に戻ってもよい。
単調に物体側に移動する第１レンズ群Ｇ１の移動量（繰り出し量）は、同じく単調に物体側に移動する第３レンズ群Ｇ３の移動量（繰り出し量）よりも大きい。
【００１８】
第１レンズ群Ｇ１は、数値実施例１−３、５、７では、物体側から順に、負レンズ１０及び正レンズ１１の２枚のレンズからなる。
負レンズ１０は、物体側に凸の負メニスカスレンズである。
正レンズ１１は、両凸正レンズ（数値実施例１−３、７）、又は物体側に凸の正メニスカスレンズ（数値実施例５）である。
【００１９】
第１レンズ群Ｇ１は、数値実施例４、６では、物体側から順に、負レンズ１０、正レンズ１１、及び正レンズ１２の３枚のレンズからなる。
負レンズ１０は、物体側に凸の負メニスカスレンズである。
正レンズ１１は、物体側に凸の正メニスカスレンズである。
正レンズ１２は、物体側に凸の平凸正レンズ（数値実施例４）、又は両凸正レンズ（数値実施例６）である。
【００２０】
第２レンズ群Ｇ２は、全数値実施例１−７を通じて、物体側から順に、負レンズ２０、負レンズ２１、及び正レンズ２２からなる。
負レンズ２０は、両凹負レンズ（数値実施例１、６）、物体側に凸の負メニスカスレンズ（数値実施例２、５、７）、又は像側に凹の平凹負レンズ（数値実施例３、４）である。負レンズ２０は、球面レンズとしてもよいし（数値実施例１−４、６、７）、その両面が非球面の非球面レンズとしてもよい（数値実施例５）。
負レンズ２１は、物体側に凸の負メニスカスレンズ（数値実施例１−６）、又は両凹負レンズ（数値実施例７）である。
正レンズ２２は、物体側に凸の正メニスカスレンズであり、その両面が非球面の非球面レンズである。
【００２１】
第３レンズ群Ｇ３は、数値実施例１−３、５、７では、物体側から順に、正レンズ３０、及び物体側から順に位置する正レンズ３１と負レンズ３２の接合レンズ３３からなる３枚構成である。
正レンズ３０は、両凸正レンズであり、その両面が非球面の非球面レンズである。
正レンズ３１は、物体側に凸の正メニスカスレンズである。
負レンズ３２は、物体側に凸の負メニスカスレンズである。
【００２２】
第３レンズ群Ｇ３は、数値実施例４、６では、物体側から順に、正レンズ３０、物体側から順に位置する正レンズ３１と負レンズ３２の接合レンズ３３、及び負レンズ３４からなる４枚構成である。
正レンズ３０は、両凸正レンズであり、その両面が非球面の非球面レンズである。
正レンズ３１は、両凸正レンズである。
負レンズ３２は、像側に凸の負メニスカスレンズである。
負レンズ３４は、物体側に凸の負メニスカスレンズである。
【００２３】
第４レンズ群Ｇ４は、全数値実施例１−７を通じて、１枚の正レンズ４０からなる。正レンズ４０は、物体側に凸面を向け、かつ少なくとも物体側の凸面が非球面からなる非球面樹脂レンズである。正レンズ４０の物体側の凸非球面は、近軸凸非球面に比して、光軸から離れるに従って曲率が緩くなるように構成されている。
正レンズ４０は、数値実施例１−５、７では、両凸正レンズであり、その両面が非球面の非球面レンズである。
正レンズ４０は、数値実施例６では、物体側に凸の正メニスカスレンズであり、その両面が非球面の非球面レンズである。
【００２４】
多段鏡筒を用いた沈胴式ズームレンズ系を搭載したカメラを小型化するためには、最も物体側に位置する第１レンズ群の小径化及びレンズ全長の短縮化が重要である。各レンズ群の厚さも薄いことが求められている。変倍レンズ群を移動させるメカ構造の簡素化も必要となる。変倍レンズ群数を少なくすればメカ構成が簡単になるが、高変倍化を達成するのが困難となる。一般的にレンズ系の小型化や群厚を小さくするために構成枚数を削減すると、収差補正の難易度が増す。小型化を図りながら全変倍範囲にわたり諸収差を良好に補正するためには、適切な各レンズ群の屈折力配置やレンズ構成が必要となる。
【００２５】
本発明の高変倍ズームレンズ系は、物体側から順に正負正正の正レンズ先行型のズームレンズ系であり、コンパクトデジタルカメラによく使われる負レンズ先行型のズームレンズ系に比べて高変倍化が図れる利点がある。しかし、高変倍化を図ろうとするとレンズ全長が長くなり、また広角化を図ろうとすると前玉径が大きくなりやすいので、コンパクトデジタルカメラに搭載するためには光学系の小型化を図ることが課題となっていた。そこで本発明では、短焦点距離端から長焦点距離端への変倍時（ズーミング時）に第１レンズ群を大きく移動させる（繰り出す）ことで、第２レンズ群と第３レンズ群の移動自由度を増大させ、各レンズ群の担う変倍負担を適切に設定している。例えば第１レンズ群が固定であるとすると、第２レンズ群の変倍負担が増え、結果的に第１レンズ群の径が大きくなりやすい。
【００２６】
条件式（１）は、長焦点距離端における全系の焦点距離と、第１レンズ群の焦点距離との比を規定するものであり、コンパクトデジタルカメラに用いるのに適した高変倍ズームレンズ系を得るための条件式である。
条件式（１）の上限を超えると、長焦点距離端でのレンズ全長の短縮には有利となるが、短焦点距離端での画角が狭くなり好ましくない。
条件式（１）の下限を超えると、第１レンズ群の屈折力が弱くなり、高変倍比を達成しようとすると変倍に伴う第１レンズ群の移動量が大きくなりすぎて、長焦点距離端でのレンズ全長が長くなる。
【００２７】
条件式（２）は、第１レンズ群の焦点距離と、短焦点距離端における全系の焦点距離との比を規定するものであり、コンパクトデジタルカメラに用いるのに適した高変倍ズームレンズ系を得るための条件式である。
条件式（２）の上限を超えると、変倍時の第１レンズ群の移動量が大きくなりすぎて、長焦点距離端でのレンズ全長が大きくなり好ましくない。長焦点距離端でのレンズ全長を抑えるために短焦点距離端でのレンズ全長を短くすると、広角化による軸外収差の補正が困難となる。
条件式（２）の下限を超えると、第１レンズ群の移動量が少なくなり、第２レンズ群及び第３レンズ群の移動自由度が小さくなる。また変倍比を増加させるためには第２レンズ群を大きく移動させる必要があり、広角化を図ったときに第１レンズ群の外径が大きくなり好ましくない。無理に第１レンズ群の外径を抑えようとすると各レンズ群の屈折力を増やして対処する必要があり、全変倍域での収差補正が難しくなり、高解像度に対応するのが困難となる。
【００２８】
条件式（３）は、第１レンズ群の焦点距離と第２レンズ群の焦点距離との比を規定するものであり、コンパクトデジタルカメラに用いるのに適した高変倍ズームレンズ系を得るための条件式である。
条件式（３）の上限を超えると、第１レンズ群の屈折力に対して第２レンズ群の屈折力が弱くなり、長焦点距離端でのレンズ全長を短くするには有利となるが、画角７０度以上の広角化を達成するのが困難となる。
条件式（３）の下限を超えると、第１レンズ群の屈折力に対して第２レンズ群の屈折力が強くなりすぎて、第１レンズ群の径が大きくなり、また長焦点距離端でのレンズ全長も長くなってしまう。条件式（３）の下限を超えたままレンズ全長を短くするためには各レンズ群の屈折力を強くして変倍時の移動量を少なくする必要が出てくるが、各変倍域での収差補正が困難となる。
【００２９】
以上の条件式（１）ないし（３）を満足することにより、第１レンズ群の大径化防止と、長焦点距離端でのレンズ全長の短縮化とを両立させることができる。
【００３０】
条件式（４）は、第２レンズ群の長焦点距離端における無限遠物体に対する結像倍率と、第２レンズ群の短焦点距離端における無限遠物体に対する結像倍率との比を規定するものであり、レンズ系を小型化するとともに第２レンズ群と第３レンズ群で変倍作用を好適に分担させるための条件式である。
条件式（４）の上限を超えると、第２レンズ群の変倍負担が大きくなりすぎて、第２レンズ群の変倍移動量が大きくなり、Ｆナンバーの変動が大きくなるため好ましくない。
条件式（４）の下限を超えると、第２レンズ群の変倍作用が小さくなるためレンズ全系の高変倍化が難しくなる。
【００３１】
第１レンズ群中の最も物体側のレンズは、各数値実施例に示すように、負レンズからなる。
条件式（５）は以上の構成において、第１レンズ群中の最も物体側の負レンズのｄ線に対する屈折率を規定するものであり、第１レンズ群の径を小さくするための条件式である。
条件式（５）の下限を超えると、第１レンズ群中の最も物体側の負レンズの像側の面の曲率半径が小さくなり、レンズ周縁部が厚くなるため、第１レンズ群中の最も物体側の負レンズの物体側の面の光線高が高くなり、第１レンズ群の径が増大してしまう。
【００３２】
条件式（６）は、第３レンズ群に含まれる正レンズのｄ線に対するアッベ数の平均値を規定するものであり、第３レンズ群の色収差補正、ひいては高変倍ズームレンズ系の全変倍域での色収差を小さくするための条件式である。
条件式（６）の下限を超えると、短焦点距離端から長焦点距離端での軸上色収差が補正不足となり好ましくない。
また第３レンズ群に含まれる正レンズは、部分分散比がＰg_Ｆ＜0.54を満足する異常分散性の硝材を使用することが好ましい。
【００３３】
条件式（７）は、第３レンズ群に含まれる負レンズのｄ線に対する屈折率の平均値と、第３レンズ群に含まれる正レンズのｄ線に対する屈折率の平均値との差を規定するものである。高変倍ズームレンズ系のレンズ全長を抑制するためには、各レンズ群の屈折力を強くする必要があり、そのために像面湾曲の指標となるペッツバール和の符号がマイナスとなる傾向がある。条件式（７）はそれを抑制するためのもので、下限を超えると、ペッツバール和がマイナスとなり像面湾曲がオーバーになり、像面の平坦性が失われる。
【００３４】
第１レンズ群は、各数値実施例に示すように、物体側から順に、負レンズ、及び少なくとも１枚の正レンズからなる。
条件式（８）は以上の構成において、第１レンズ群中の最も物体側の負レンズのｄ線に対するアッベ数を規定するものであり、第１レンズ群の色収差補正に関する条件式である。
条件式（８）の上限を超えると、第１レンズ群内での色収差が補正不足となり、ズーム全域で色収差を小さくするのが困難となる。
【００３５】
第３レンズ群を、物体側から順に、正レンズ、正レンズ及び負レンズの３枚のレンズから構成することで、諸収差を比較的良好に補正しながら、第３レンズ群の光軸上の厚さを薄くでき、沈胴収納長を短縮したいコンパクトデジタルカメラに適したズームレンズ系を得ることができる。
一方、第３レンズ群を、物体側から順に、正レンズ、正レンズ、負レンズ及び負レンズの４枚のレンズから構成すると、群厚は犠牲になるが、収差補正をより良好に行うことができる。
【００３６】
第４レンズ群を、物体側に凸面を向け、少なくともその物体側の凸面が非球面からなる１枚の非球面樹脂レンズとし、その非球面を、近軸凸球面に比して、光軸から離れるに従って曲率が緩くなるように構成することで、第４レンズ群をフォーカスレンズ群として機能させ、長焦点距離端で発生しやすい像面湾曲の近距離変化を小さくすることができる。また第４レンズ群を軽量な非球面樹脂レンズとすることで、オートフォーカスの速度向上を図ることができる。
【実施例】
【００３７】
次に具体的な数値実施例を示す。以下の数値実施例は、コンパクトデジタルカメラに用いる場合に対応している。諸収差図及び表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、rは曲率半径、ｄはレンズ厚またはレンズ間隔、N(d)はｄ線に対する屈折率、νｄはｄ線に対するアッベ数を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数）
【００３８】
［数値実施例１］
図１〜図６と表１〜表４は、本発明による高変倍ズームレンズ系の数値実施例１を示している。図１は長焦点距離端における無限遠合焦時のレンズ構成図、図２はその諸収差図であり、図３は中間焦点距離における無限遠合焦時のレンズ構成図、図４はその諸収差図であり、図５は短焦点距離端における無限遠合焦時のレンズ構成図、図６はその諸収差図である。表１は面データ、表２は各種データ、表３は非球面データ、表４はレンズ群データである。
【００３９】
本数値実施例１の高変倍ズームレンズ系は、物体側から順に、正の屈折力を持つ第１レンズ群Ｇ１、負の屈折力を持つ第２レンズ群Ｇ２、正の屈折力を持つ第３レンズ群Ｇ３、及び正の屈折力を持つ第４レンズ群Ｇ４から構成されている。
【００４０】
第１レンズ群Ｇ１（面番号１から４）は、物体側から順に、物体側に凸の負メニスカスレンズ１０、及び両凸正レンズ１１からなる。
第２レンズ群Ｇ２（面番号５から１０）は、物体側から順に、両凹負レンズ２０、物体側に凸の負メニスカスレンズ２１、及び物体側に凸の正メニスカスレンズ２２からなる。正メニスカスレンズ２２は、その両面が非球面の非球面レンズである。
第３レンズ群Ｇ３（面番号１２から１６）は、物体側から順に、両凸正レンズ３０、及び物体側から順に位置する物体側に凸の正メニスカスレンズ３１と物体側に凸の負メニスカスレンズ３２の接合レンズ３３からなる。両凸正レンズ３０は、その両面が非球面の非球面レンズである。第２レンズ群Ｇ２と第３レンズ群Ｇ３の間に位置する絞りＳ（面番号１１）は、第３レンズ群Ｇ３と一体に移動する。
第４レンズ群Ｇ４（面番号１７から１８）は、１枚の両凸正レンズ４０からなる。両凸正レンズ４０は、その両面が非球面の非球面樹脂レンズであり、その物体側の凸非球面は、近軸凸球面に比して、光軸から離れるに従って曲率が緩くなるように構成されている。第４レンズ群Ｇ４（両凸正レンズ４０）の後方（像面Ｉとの間）には、光学フィルタＯＰ（面番号１９から２０）とカバーガラスＣＧ（面番号２１から２２）が配置されている。
【００４１】
（表１）
面データ
面番号          r          d          N(d)        νｄ
1          15.396      0.750       1.92286        20.9
2          12.536      0.380
3          13.919      2.743       1.59282        68.6
4        -485.244         d4
5        -272.420      0.550       1.83481        42.7
6           4.632      1.377
7          94.355      0.500       1.75500        52.3
8           5.257      0.100
9*          4.828      1.389       1.82115        24.1
10*        19.861        d10
11絞           ∞      0.150
12*         4.152      1.188       1.49700        81.6
13*        -7.828      0.100
14          3.084      0.929       1.48749        70.4
15          6.818      0.699       1.90366        31.3
16          2.384        d16
17*        18.000      1.383       1.54358        55.7
18*       -20.999        d18
19             ∞      0.300       1.51680        64.2
20             ∞      0.560
21             ∞      0.500       1.51680        64.2
22             ∞          -
＊は回転対称非球面である。
（表２）
各種データ
ズーム比（変倍比）    12.00
短焦点距離端          中間焦点距離          長焦点距離端
FNO.            3.1                   5.1                   7.3
f              3.67                 14.21                 43.99
W              42.8                  10.9                   3.6
Y              2.80                  2.80                  2.80
fB             0.59                  0.59                  0.59
L             29.09                 39.23                 48.50
d4            0.500                10.955                17.063
d10          10.046                 4.242                 0.500
d16           2.000                 8.466                14.751
d18           2.354                 1.375                 2.000
（表３）
非球面データ（表示していない非球面係数は0.00である）
面番号   K          A4             A6             A8            A10
9     0.000  -0.1221×10-2    0.1181×10-4   -0.1633×10-5   -0.1160×10-5
10    0.000  -0.1298×10-2    0.1286×10-3   -0.2066×10-4
12   -1.000  -0.9300×10-3    0.1325×10-3    0.2237×10-4
13    0.000   0.6020×10-3    0.1132×10-3    0.2562×10-4
17    0.000   0.1076×10-2   -0.5826×10-4    0.4196×10-5   -0.2137×10-6
18    0.000   0.1437×10-2   -0.1688×10-3    0.1458×10-4   -0.5809×10-6
（表４）
レンズ群データ
群          始面          焦点距離
1              1             32.29
2              5             -5.20
3             12              6.74
4             17             18.06
【００４２】
［数値実施例２］
図７〜図１２と表５〜表８は、本発明による高変倍ズームレンズ系の数値実施例２を示している。図７は長焦点距離端における無限遠合焦時のレンズ構成図、図８はその諸収差図であり、図９は中間焦点距離における無限遠合焦時のレンズ構成図、図１０はその諸収差図であり、図１１は短焦点距離端における無限遠合焦時のレンズ構成図、図１２はその諸収差図である。表５は面データ、表６は各種データ、表７は非球面データ、表８はレンズ群データである。
【００４３】
この数値実施例２のレンズ構成は、第２レンズ群Ｇ２の負レンズ２０が物体側に凸の負メニスカスレンズである点を除いて数値実施例１と同様である。
【００４４】
（表５）
面データ
面番号          r          d          N(d)        νｄ
1          15.901      0.750       1.92286        20.9
2          12.867      0.361
3          14.232      2.728       1.59282        68.6
4        -311.365         d4
5         430.453      0.550       1.88300        40.8
6           4.710      1.333
7         270.476      0.500       1.77250        49.6
8           7.306      0.100
9*          5.818      1.087       2.00272        19.3
10*        13.828        d10
11絞           ∞      0.150
12*         4.197      1.191       1.49700        81.6
13*        -7.468      0.100
14          2.985      0.960       1.48749        70.4
15          7.070      0.587       1.90366        31.3
16          2.391        d16
17*        18.000      1.330       1.54358        55.7
18*       -24.256        d18
19             ∞      0.300       1.51680        64.2
20             ∞      0.560
21             ∞      0.500       1.51680        64.2
22             ∞          -
＊は回転対称非球面である。
（表６）
各種データ
ズーム比（変倍比）    12.00
短焦点距離端          中間焦点距離          長焦点距離端
FNO.            3.1                   5.0                   7.4
f              3.74                 14.21                 44.84
W              42.4                  10.9                   3.5
Y              2.80                  2.80                  2.80
fB             0.59                  0.59                  0.59
L             28.65                 38.54                 48.50
d4            0.500                10.704                17.034
d10          10.046                 4.190                 0.526
d16           2.000                 8.395                15.262
d18           2.425                 1.572                 2.000
（表７）
非球面データ（表示していない非球面係数は0.00である）
面番号   K          A4             A6             A8            A10
9     0.000  -0.1470×10-2   -0.1167×10-3    0.1338×10-6   -0.9258×10-6
10    0.000  -0.1511×10-2   -0.5296×10-4   -0.1013×10-4
12   -1.000  -0.1005×10-2    0.1015×10-3    0.3102×10-4
13    0.000   0.6637×10-3    0.8106×10-4    0.3400×10-4
17    0.000   0.1173×10-2   -0.9534×10-4    0.7747×10-5   -0.4776×10-6
18    0.000   0.1473×10-2   -0.1931×10-3    0.1751×10-4   -0.8394×10-6
（表８）
レンズ群データ
群          始面          焦点距離
1              1             32.67
2              5             -5.27
3             12              6.69
4             17             19.22
【００４５】
［数値実施例３］
図１３〜図１８と表９〜表１２は、本発明による高変倍ズームレンズ系の数値実施例３を示している。図１３は長焦点距離端における無限遠合焦時のレンズ構成図、図１４はその諸収差図であり、図１５は中間焦点距離における無限遠合焦時のレンズ構成図、図１６はその諸収差図であり、図１７は短焦点距離端における無限遠合焦時のレンズ構成図、図１８はその諸収差図である。表９は面データ、表１０は各種データ、表１１は非球面データ、表１２はレンズ群データである。
【００４６】
この数値実施例３のレンズ構成は、第２レンズ群Ｇ２の負レンズ２０が像側に凹の平凹負レンズである点を除いて数値実施例１と同様である。
【００４７】
（表９）
面データ
面番号          r          d          N(d)        νｄ
1          15.184      0.750       1.92286        20.9
2          12.402      0.418
3          14.142      2.407       1.59282        68.6
4        -256.686         d4
5              ∞      0.500       1.80420        46.5
6           4.448      1.217
7          14.565      0.500       1.72916        54.7
8           4.660      0.100
9*          4.316      1.328       1.82115        24.1
10*         9.493        d10
11絞           ∞      0.150
12*         4.723      1.164       1.49700        81.6
13*        -8.136      0.100
14          2.734      1.041       1.48749        70.4
15          5.493      0.500       1.90366        31.3
16          2.261        d16
17*        18.000      1.561       1.54358        55.7
18*       -14.509        d18
19             ∞      0.300       1.51680        64.2
20             ∞      0.560
21             ∞      0.500       1.51680        64.2
22             ∞          -
＊は回転対称非球面である。
（表１０）
各種データ
ズーム比（変倍比）    9.60
短焦点距離端          中間焦点距離          長焦点距離端
FNO.            3.2                   5.4                   6.0
f              4.00                 14.20                 38.40
W              42.0                  12.5                   4.7
Y              3.14                  3.14                  3.14
fB             0.59                  0.59                  0.59
L             28.59                 38.34                 46.30
d4            0.500                 8.269                17.328
d10           9.585                 3.785                 1.050
d16           2.205                 9.608                11.936
d18           2.614                 2.997                 2.300
（表１１）
非球面データ（表示していない非球面係数は0.00である）
面番号   K          A4             A6             A8            A10
9     0.000  -0.1061×10-2   -0.1085×10-3    0.8721×10-5   -0.1398×10-5
10    0.000  -0.1595×10-2    0.3691×10-4   -0.1425×10-4
12   -1.000  -0.7460×10-3   -0.5929×10-4    0.6668×10-4
13    0.000   0.6823×10-3   -0.4934×10-4    0.6107×10-4
17    0.000   0.7206×10-3    0.9302×10-5   -0.1479×10-4    0.5324×10-6
18    0.000   0.1046×10-2   -0.8290×10-4   -0.8479×10-5    0.3582×10-6
（表１２）
レンズ群データ
群          始面          焦点距離
1              1             31.82
2              5             -5.35
3             12              7.03
4             17             15.03
【００４８】
［数値実施例４］
図１９〜図２４と表１３〜表１６は、本発明による高変倍ズームレンズ系の数値実施例４を示している。図１９は長焦点距離端における無限遠合焦時のレンズ構成図、図２０はその諸収差図であり、図２１は中間焦点距離における無限遠合焦時のレンズ構成図、図２２はその諸収差図であり、図２３は短焦点距離端における無限遠合焦時のレンズ構成図、図２４はその諸収差図である。表１３は面データ、表１４は各種データ、表１５は非球面データ、表１６はレンズ群データである。
【００４９】
この数値実施例４のレンズ構成は、第１レンズ群Ｇ１が負正正の３枚構成であり、第３レンズ群が正正負負の４枚構成である点において数値実施例１と異なっている。
【００５０】
第１レンズ群Ｇ１（面番号１から６）は、物体側から順に、物体側に凸の負メニスカスレンズ１０、物体側に凸の正メニスカスレンズ１１、及び物体側に凸の平凸正レンズ１２からなる。
第２レンズ群Ｇ２（面番号７から１２）は、物体側から順に、像側に凹の平凹負レンズ２０、物体側に凸の負メニスカスレンズ２１、及び物体側に凸の正メニスカスレンズ２２からなる。正メニスカスレンズ２２は、その両面が非球面の非球面レンズである。
第３レンズ群Ｇ３（面番号１４から２０）は、物体側から順に、両凸正レンズ３０、物体側から順に位置する両凸正レンズ３１と像側に凸の負メニスカスレンズ３２の接合レンズ３３、及び物体側に凸の負メニスカスレンズ３４からなる。両凸正レンズ３０は、その両面が非球面の非球面レンズである。第２レンズ群Ｇ２と第３レンズ群Ｇ３の間に位置する絞りＳ（面番号１３）は、第３レンズ群Ｇ３と一体に移動する。
第４レンズ群Ｇ４（面番号２１から２２）は、１枚の両凸正レンズ４０からなる。両凸正レンズ４０は、その両面が非球面の非球面樹脂レンズであり、その物体側の凸非球面は、近軸凸球面に比して、光軸から離れるに従って曲率が緩くなるように構成されている。第４レンズ群Ｇ４（両凸正レンズ４０）の後方（像面Ｉとの間）には、光学フィルタＯＰ（面番号２３から２４）とカバーガラスＣＧ（面番号２５から２６）が配置されている。
【００５１】
（表１３）
面データ
面番号          r          d          N(d)        νｄ
1          23.156      0.750       2.00069        25.5
2          16.621      0.259
3          18.132      2.187       1.49700        81.6
4         459.802      0.080
5          20.880      1.884       1.59282        68.6
6              ∞         d6
7              ∞      0.600       1.88300        40.8
8           3.944      1.339
9          19.490      0.500       1.77250        49.6
10          5.523      0.100
11*         5.011      1.100       2.00178        19.3
12*        10.672        d12
13絞           ∞      0.600
14*         4.072      1.100       1.58313        59.5
15*       -13.582      0.100
16          7.999      1.100       1.48749        70.4
17         -7.999      0.500       1.84666        23.8
18        -14.230      0.100
19          7.466      0.500       1.90366        31.3
20          2.771        d20
21*        12.391      1.200       1.54358        55.7
22*       -54.696        d22
23             ∞      0.300       1.51680        64.2
24             ∞      0.510
25             ∞      0.500       1.51680        64.2
26             ∞          -
＊は回転対称非球面である。
（表１４）
各種データ
ズーム比（変倍比）    9.59
短焦点距離端          中間焦点距離          長焦点距離端
FNO.            3.5                   5.1                   5.6
f              4.00                 14.20                 38.40
W              40.6                  12.2                   4.6
Y              3.14                  3.14                  3.14
fB             0.59                  0.59                  0.59
L             30.91                 40.33                 45.00
d6            0.400                 9.037                15.370
d12           9.065                 3.985                 1.200
d20           2.400                 7.296                10.081
d22           3.143                 4.109                 2.450
（表１５）
非球面データ（表示していない非球面係数は0.00である）
面番号   K          A4             A6             A8            A10
11    0.000  -0.8745×10-3   -0.6090×10-4   -0.7531×10-5    0.7326×10-7
12    0.000  -0.1493×10-2    0.1354×10-4   -0.2200×10-4    0.1100×10-5
14   -1.000  -0.4342×10-3    0.2040×10-3    0.2100×10-4
15    0.000   0.9551×10-3    0.2490×10-3    0.1412×10-4
21    0.000   0.2832×10-2   -0.4894×10-3    0.2688×10-4
22    0.000   0.2765×10-2   -0.5004×10-3    0.1778×10-4    0.6207×10-6
（表１６）
レンズ群データ
群          始面          焦点距離
1              1             26.61
2              7             -4.58
3             14              7.09
4             21             18.70
【００５２】
［数値実施例５］
図２５〜図３０と表１７〜表２０は、本発明による高変倍ズームレンズ系の数値実施例５を示している。図２５は長焦点距離端における無限遠合焦時のレンズ構成図、図２６はその諸収差図であり、図２７は中間焦点距離における無限遠合焦時のレンズ構成図、図２８はその諸収差図であり、図２９は短焦点距離端における無限遠合焦時のレンズ構成図、図３０はその諸収差図である。表１７は面データ、表１８は各種データ、表１９は非球面データ、表２０はレンズ群データである。
【００５３】
この数値実施例５のレンズ構成は、以下の点を除いて数値実施例１と同様である。
（１）第１レンズ群Ｇ１の正レンズ１１が、物体側に凸の正メニスカスレンズである。
（２）第２レンズ群Ｇ２の負レンズ２０が、物体側に凸の負メニスカスレンズであり、その両面が非球面の非球面レンズである。
【００５４】
（表１７）
面データ
面番号          r          d          N(d)        νｄ
1          14.818      0.750       2.00272        19.3
2          12.504      0.420
3          14.154      2.756       1.59282        68.6
4         781.549         d4
5*        266.177      0.600       1.88300        40.8
6*          3.784      1.712
7          43.818      0.550       1.75500        52.3
8           7.990      0.150
9*          5.432      1.041       2.00178        19.3
10*        11.002        d10
11絞           ∞      0.600
12*         4.125      2.079       1.49700        81.6
13*        -6.207      0.100
14          4.702      1.000       1.48749        70.4
15          7.332      0.700       2.00069        25.5
16          3.089        d16
17*        18.000      1.100       1.54358        55.7
18*       -29.899        d18
19             ∞      0.300       1.51680        64.2
20             ∞      0.510
21             ∞      0.500       1.51680        64.2
22             ∞          -
＊は回転対称非球面である。
（表１８）
各種データ
ズーム比（変倍比）    9.60
短焦点距離端          中間焦点距離          長焦点距離端
FNO.            3.5                   5.5                   6.0
f              3.31                 14.20                 31.78
W              45.5                  11.2                   5.1
Y              2.90                  2.90                  2.90
fB             0.59                  0.59                  0.59
L             30.58                 40.53                 49.00
d4            0.400                11.525                16.475
d10           10.221                2.885                 1.200
d16           2.200                 6.313                13.617
d18           2.297                 4.350                 2.250
（表１９）
非球面データ（表示していない非球面係数は0.00である）
面番号   K          A4             A6             A8            A10
5     0.000   0.3913×10-3   -0.1116×10-4    0.8551×10-7
6     0.000  -0.1306×10-2   -0.4044×10-4    0.4950×10-6
9     0.000  -0.2096×10-2   -0.2774×10-3    0.1833×10-4   -0.1010×10-6
10    0.000  -0.1623×10-2   -0.1998×10-3    0.1145×10-4
12   -1.000  -0.9294×10-3    0.3569×10-4    0.1621×10-4
13    0.000   0.1680×10-2    0.1407×10-4    0.1713×10-4
17    0.000  -0.1354×10-3   -0.8598×10-4   -0.1947×10-4    0.8376×10-6
18    0.000  -0.2629×10-3   -0.7381×10-4   -0.2114×10-4    0.9619×10-6
（表２０）
レンズ群データ
群          始面          焦点距離
1              1             33.54
2              5             -4.86
3             12              6.80
4             17             20.84
【００５５】
［数値実施例６］
図３１〜図３６と表２１〜表２４は、本発明による高変倍ズームレンズ系の数値実施例６を示している。図３１は長焦点距離端における無限遠合焦時のレンズ構成図、図３２はその諸収差図であり、図３３は中間焦点距離における無限遠合焦時のレンズ構成図、図３４はその諸収差図であり、図３５は短焦点距離端における無限遠合焦時のレンズ構成図、図３６はその諸収差図である。表２１は面データ、表２２は各種データ、表２３は非球面データ、表２４はレンズ群データである。
【００５６】
この数値実施例６のレンズ構成は、以下の点を除いて数値実施例４と同様である。
（１）第１レンズ群Ｇ１の正レンズ１２が、両凸正レンズである。
（２）第２レンズ群Ｇ２の負レンズ２０が、両凹負レンズである。
（３）第４レンズ群Ｇ４の正レンズ４０が、物体側に凸の正メニスカスレンズであり、その両面が非球面の非球面レンズである。
【００５７】
（表２１）
面データ
面番号          r          d          N(d)        νｄ
1          24.553      0.650       1.90366        31.3
2          14.535      0.218
3          16.021      1.847       1.49700        81.6
4         112.700      0.070
5          15.654      2.012       1.59282        68.6
6        -329.969         d6
7         -94.994      0.580       1.88300        40.8
8           3.482      1.345
9          18.025      0.500       1.77250        49.6
10          5.288      0.072
11*         5.349      0.940       2.00178        19.3
12*        14.448        d12
13絞           ∞      0.500
14*         6.367      1.000       1.58989        66.8
15*       -29.985      0.072
16          4.266      1.520       1.48749        70.4
17         -3.567      0.500       1.83400        37.3
18         -6.677      0.070
19          5.292      0.500       1.90366        31.3
20          2.635        d20
21*         9.613      1.100       1.54358        55.7
22*        46.130        d22
23             ∞      0.350       1.51680        64.2
24             ∞      0.510
25             ∞      0.500       1.51680        64.2
26             ∞          -
＊は回転対称非球面である。
（表２２）
各種データ
ズーム比（変倍比）    9.68
短焦点距離端          中間焦点距離          長焦点距離端
FNO.            3.2                   4.6                   4.5
f              3.62                 13.00                 35.00
W              43.4                  12.4                   4.6
Y              2.90                  2.90                  2.90
fB             0.59                  0.59                  0.59
L             29.96                 38.37                 41.67
d6            0.340                 8.655                15.168
d12           8.446                 3.414                 1.000
d20           3.764                 7.229                 8.346
d22           1.961                 3.622                 1.714
（表２３）
非球面データ（表示していない非球面係数は0.00である）
面番号   K          A4             A6             A8            A10
11    0.000  -0.1986×10-3   -0.1292×10-3    0.2085×10-4   -0.6747×10-5
12    0.000  -0.1518×10-2    0.1051×10-3   -0.6093×10-4
14   -1.000  -0.5127×10-3    0.1721×10-3   -0.1848×10-4
15    0.000   0.2027×10-3    0.4308×10-4   -0.1203×10-4
21    0.000  -0.9038×10-3   -0.1318×10-3    0.1302×10-5
22    0.000  -0.1126×10-2   -0.2269×10-3    0.6450×10-5   -0.6082×10-7
（表２４）
レンズ群データ
群          始面          焦点距離
1              1             24.48
2              7             -4.06
3             14              6.63
4             21             22.10
【００５８】
［数値実施例７］
図３７〜図４２と表２５〜表２８は、本発明による高変倍ズームレンズ系の数値実施例７を示している。図３７は長焦点距離端における無限遠合焦時のレンズ構成図、図３８はその諸収差図であり、図３９は中間焦点距離における無限遠合焦時のレンズ構成図、図４０はその諸収差図であり、図４１は短焦点距離端における無限遠合焦時のレンズ構成図、図４２はその諸収差図である。表２５は面データ、表２６は各種データ、表２７は非球面データ、表２８はレンズ群データである。
【００５９】
この数値実施例７のレンズ構成は、以下の点を除いて数値実施例１と同様である。
（１）第２レンズ群Ｇ２の負レンズ２０が、物体側に凸の負メニスカスレンズである。
（２）第２レンズ群Ｇ２の負レンズ２１が、両凹負レンズである。
【００６０】
（表２５）
面データ
面番号          r          d          N(d)        νｄ
1          17.048      0.750       1.92286        20.9
2          13.734      0.453
3          15.892      2.731       1.59282        68.6
4        -122.857         d4
5          37.756      0.600       1.88300        40.8
6           5.003      1.677
7         -24.273      0.500       1.72916        54.7
8           5.384      0.100
9*          4.424      1.338       1.82115        24.1
10*        15.405        d10
11絞           ∞      0.600
12*         4.028      1.250       1.49700        81.6
13*        -7.710      0.100
14          3.409      1.000       1.48749        70.4
15          7.666      0.580       1.90366        31.3
16          2.545        d16
17*        18.000      1.200       1.54358        55.7
18*       -31.576        d18
19             ∞      0.300       1.51680        64.2
20             ∞      0.560
21             ∞      0.500       1.51680        64.2
22             ∞          -
＊は回転対称非球面である。
（表２６）
各種データ
ズーム比（変倍比）    9.59
短焦点距離端          中間焦点距離          長焦点距離端
FNO.            3.4                   4.9                   6.0
f              4.00                 14.20                 38.40
W              41.3                  11.8                   4.4
Y              3.04                  3.04                  3.04
fB             0.59                  0.59                  0.59
L             31.00                 40.50                 49.00
d4            0.400                10.990                18.852
d10          10.135                 3.728                 1.200
d16           3.636                 6.707                11.619
d18           2.000                 4.250                 2.500
（表２７）
非球面データ（表示していない非球面係数は0.00である）
面番号   K          A4             A6             A8            A10
9     0.000  -0.9612×10-3   -0.1088×10-3    0.9351×10-5   -0.1110×10-5
10    0.000   0.9882×10-5    0.3788×10-4   -0.8101×10-5
12   -1.000  -0.6722×10-3    0.1249×10-3   -0.3846×10-4
13    0.000   0.8586×10-3    0.6848×10-4   -0.3273×10-4
17    0.000  -0.8137×10-3   -0.1130×10-3   -0.2904×10-4    0.1654×10-5
18    0.000  -0.8264×10-3   -0.1718×10-3   -0.1885×10-4    0.1181×10-5
（表２８）
レンズ群データ
群          始面          焦点距離
1              1             33.77
2              5             -5.18
3             12              7.06
4             17             21.27
【００６１】
各数値実施例の各条件式に対する値を表２９に示す。
（表２９）
実施例１       実施例２       実施例３       実施例４
条件式（１）       1.362          1.372          1.207          1.443
条件式（２）       5.295          5.312          4.426          3.521
条件式（３）      -6.211         -6.200         -5.952         -5.812
条件式（４）       3.257          3.147          3.568          4.534
条件式（５）     1.92286        1.92286        1.92286        2.00069
条件式（６）      76.000         76.000         76.000         64.950
条件式（７）       0.411          0.411          0.411          0.340
条件式（８）        20.9           20.9           20.9           25.5
実施例５       実施例６       実施例７
条件式（１）       0.947          1.430          1.137
条件式（２）       5.566          3.240          4.498
条件式（３）      -6.900         -6.031         -6.520
条件式（４）       2.711          5.422          3.627
条件式（５）     2.00272        1.90366        1.92286
条件式（６）      76.025         68.600         76.000
条件式（７）       0.508          0.330          0.411
条件式（８）        19.3           31.3           20.9
【００６２】
表２９から明らかなように、数値実施例１〜数値実施例７は、条件式（１）〜（８）を満足しており、また諸収差図から明らかなように諸収差は比較的よく補正されている。
【符号の説明】
【００６３】
Ｇ１  正の屈折力を持つ第１レンズ群
Ｇ２  負の屈折力を持つ第２レンズ群
Ｇ３  正の屈折力を持つ第３レンズ群
Ｇ４  正の屈折力を持つ第４レンズ群
１０  負レンズ
１１  正レンズ
１２  正レンズ
２０  負レンズ
２１  負レンズ
２２  正レンズ
３０  正レンズ
３１  正レンズ
３２  負レンズ
３３  接合レンズ
３４  負レンズ
４０  正レンズ
Ｓ  絞り
ＯＰ  光学フィルタ
ＣＧ  カバーガラス
Ｉ  像面
【図１】
2011186047.tif 000003
【図２】
2011186047.tif 000004
【図３】
2011186047.tif 000005
【図４】
2011186047.tif 000006
【図５】
2011186047.tif 000007
【図６】
2011186047.tif 000008
【図７】
2011186047.tif 000009
【図８】
2011186047.tif 000010
【図９】
2011186047.tif 000011
【図１０】
2011186047.tif 000012
【図１１】
2011186047.tif 000013
【図１２】
2011186047.tif 000014
【図１３】
2011186047.tif 000015
【図１４】
2011186047.tif 000016
【図１５】
2011186047.tif 000017
【図１６】
2011186047.tif 000018
【図１７】
2011186047.tif 000019
【図１８】
2011186047.tif 000020
【図１９】
2011186047.tif 000021
【図２０】
2011186047.tif 000022
【図２１】
2011186047.tif 000023
【図２２】
2011186047.tif 000024
【図２３】
2011186047.tif 000025
【図２４】
2011186047.tif 000026
【図２５】
2011186047.tif 000027
【図２６】
2011186047.tif 000028
【図２７】
2011186047.tif 000029
【図２８】
2011186047.tif 000030
【図２９】
2011186047.tif 000031
【図３０】
2011186047.tif 000032
【図３１】
2011186047.tif 000033
【図３２】
2011186047.tif 000034
【図３３】
2011186047.tif 000035
【図３４】
2011186047.tif 000036
【図３５】
2011186047.tif 000037
【図３６】
2011186047.tif 000038
【図３７】
2011186047.tif 000039
【図３８】
2011186047.tif 000040
【図３９】
2011186047.tif 000041
【図４０】
2011186047.tif 000042
【図４１】
2011186047.tif 000043
【図４２】
2011186047.tif 000044
【図４３】
2011186047.tif 000045